【手続補正書】
【提出日】平成19年6月5日(2007.6.5)
【手続補正１】
【補正対象書類名】明細書
【補正対象項目名】特許請求の範囲
【補正方法】変更
【補正の内容】
【特許請求の範囲】
【請求項１】  開放頂部型ケージ用のフィルタ・ボンネットであって、開放頂部型ケージの開放頂部を覆うようになっているフィルタ・トップを包含し、このフィルタ・トップが、孔あきフィルタ・トップ頂壁およびそこから延びて開放底端を形成するフィルタ・トップ側壁を有する本体部分を有し、また、フィルタ・トップ頂壁に恒久的に取り付けられ、前記フィルタ・トップ側壁によって構成された領域内に配置されたシールドを包含し、前記シールドが、さらに、前記シールド側壁から延びる複数のスペーサと、シールド・フランジから延びる複数の小さなくぼみとを包含し、前記フィルタ・トップから所定距離のところに前記シールドを維持することを特徴とするフィルタ・ボンネット。
【請求項２】  請求項１のフィルタ・ボンネットにおいて、前記シールドが、シールド頂壁と、このシールド頂壁からほぼ直角に延びるシールド側壁と、このシールド側壁からほぼ直角に延びるフランジとを包含し、前記シールドが、前記フィルタ・トップ頂壁に取り付けてあることを特徴とするフィルタ・ボンネット。
【請求項３】  請求項２のフィルタ・ボンネットにおいて、前記フィルタ頂壁に第１の孔が形成してあり、前記シールドの前記シールド頂壁に第２の孔が形成してあり、さらに、前記シールドを前記フィルタ頂壁に取り付けるように前記第１、第２の孔に入れたリベットを包含することを特徴とするフィルタ・ボンネット。
【請求項４】  請求項１のフィルタ・ボンネットにおいて、前記シールドが、前記フィルタ・トップから所定の距離隔たったところで前記フィルタ・トップ内に配置されることを特徴とするフィルタ・ボンネット。
【請求項５】  請求項１のフィルタ・ボンネットにおいて、前記フィルタ・トップおよび前記シールドに孔が設けてあることを特徴とするフィルタ・ボンネット。
【請求項６】  請求項１のフィルタ・ボンネットにおいて、さらに、フィルタ・トップに嵌合し、フィルタ・トップをほぼ覆うようなサイズのほぼ剛性のフィルタ・リテーナを包含し、このフィルタ・リテーナが、孔あきリテーナ頂壁を有し、フィルタ・リテーナが、リテーナ・トップから延びていて開放底部を形成し、フィルタ・トップに着脱自在に固定したリテーナ側壁も有することを特徴とするフィルタ・ボンネット。
【請求項７】  請求項６のフィルタ・ボンネットにおいて、前記フィルタ・トップ頂壁に孔があけてあり、前記リテーナ頂壁が、フィルタ・トップ頂壁の孔とほぼ同一の広がりを有する孔を包含し、フィルタ・リテーナがフィルタ・トップ上に取り付けられたときに、フィルタ・リテーナの孔がフィルタ・トップの孔とほぼ整合し、さらに、フィルタ・リテーナをフィルタ・トップに着脱自在に固定し、間に１枚のフィルタ材料を封入できる固着部材が設けてあり、この固着部材が、フィルタ・トップおよびリテーナに一体に形成してあることを特徴とするフィルタ・ボンネット。
【請求項８】  請求項７のフィルタ・ボンネットにおいて、固着部材が、少なくとも１つのフィルタ・トップ側壁に形成した少なくとも１つの移動止めと、フィルタ・リテーナがフィルタ・トップに取り付けられたときに、移動止めを受け入れるように配置した、少なくとも１つのリテーナ側壁に形成した少なくとも１つのスロットとを包含することを特徴とするフィルタ・ボンネット。
【請求項９】  請求項７のフィルタ・ボンネットにおいて、フィルタ・トップおよびフィルタ・リテーナが、互いに対して屈曲できるように充分な可撓性を有することを特徴とするフィルタ・ボンネット。
【請求項１０】  動物ケージに用いるフィーダ組立体であって、フレームと、このフレームから下行する少なくとも１つのサポートと、前記ケージ内に前記フレームを支持するように前記フレームから延びている一対のフランジとを包含することを特徴とするフィーダ組立体。
【請求項１１】  請求項１０のフィーダ組立体において、前記フレームが、前記フレームから下行する少なくとも１つの第２サポートを有することを特徴とするフィーダ組立体。
【請求項１２】  請求項１０のフィーダ組立体において、前記サポートがポリゴンであることを特徴とするフィーダ組立体。
【請求項１３】  請求項１０のフィーダ組立体において、前記フィーダ組立体が、透明プラスチックで構成されていることを特徴とするフィーダ組立体。
【請求項１４】  請求項１０のフィーダ組立体において、前記サポートが、開放下端を有し、さらに、スナップ・オン底部を包含し、このスナップ底部が、前記サポートの前記下端に選択的に連結されることを特徴とするフィーダ組立体。
【請求項１５】  請求項１４のフィーダ組立体において、前記スナップ・オン底部が、そのまわりに延びる上方リップを有し、前記サポートが、前記下端まわりに延びるチャネルを有し、前記上方リップが前記チャネルを受け入れて前記スナップ・オン底部を前記サポートに連結することを特徴とするフィーダ組立体。
【請求項１６】  請求項１５のフィーダ組立体において、前記上方リップが凹部を有し、前記下端がタブを有し、このタブを前記凹部が受け入れて前記サポートに前記スナップ・オン底部を錠止することを特徴とするフィーダ組立体。
【請求項１７】  請求項１４のフィーダ組立体において、前記スナップ・オン底部がフード容器であることを特徴とするフィーダ組立体。
【請求項１８】  請求項１４のフィーダ組立体において、前記スナップ・オン底部が水筒サポートであることを特徴とするフィーダ組立体。
【請求項１９】  請求項１０のフィーダ組立体において、さらに、前記フレーム上に配置した上方に延びるリップを包含することを特徴とするフィーダ組立体。
【請求項２０】  請求項１０のフィーダ組立体において、前記フィーダ組立体が、プラスチックで構成してあり、前記サポートが側部を有し、これらの側部が、動物がかじるのを妨げるように丸みを付けてあることを特徴とするフィーダ組立体。
【請求項２１】  請求項１４のフィーダにおいて、前記スナップ・オン底部が、前記サポートと面一の表面を形成していることを特徴とするフィーダ組立体。
【請求項２２】  請求項１０のフィーダ組立体において、前記サポートにテーパが付けてあることを特徴とするフィーダ組立体。
【請求項２３】  請求項１４のフィーダ組立体において、前記スナップ・オン底部にテーパが付けてあることを特徴とするフィーダ組立体。
【手続補正２】
【補正対象書類名】明細書
【補正対象項目名】００２２
【補正方法】変更
【補正の内容】
【００２２】
第１サポート５２および第２サポート５２′が、プラットフォーム６８およびそこから懸架する開放端付きポリゴンから下方に延びている。サポート５２、５２′は側部５６を有する。フィーダ組立体２３のサポート５２、５２′は、ケージ底部３に収容されたラットのためのフード、水のいずれかを支持することができるようになっている。サポート５２をフード用とするために、スナップ・オン式フード・ホルダ３７がサポート５２の底部に取り付けてある。サポート５２、５２′の底部の周囲まわりにはスカート７３が配置してある。フード・ホルダ３７は周囲リム７１を包含する。周囲リム７１からは、フード・ホルダ３７上の複数のＵ字形バー３８が下方に延びている。Ｕ字形バー３８は間隔を置いてあり、サポート５２内に配置されたフードがフード・ホルダ３７によって保持されているが、ケージ底部３内のラットがフード・ホルダ３７のＵ字形バー３８間からフードを取り出すことができる。リム７１は、スカート７３を受け入れ、周囲リム７１をサポート５２または５２′に固着するように寸法取りされている。また、面一の連続面を与え、乗り越え点を除くと共に、スカート７３の縁を動物から保護している。凹部７７がスカート７３上に設けてある。ロック・タブ７５がリム７１に設けてある。ロック・タブ７５および凹部７７は、フード・ホルダ３７をサポート５２に連結したときに、ロック・タブ７５が凹部に挿入され、それによって、フード・ホルダ３７をサポート５２に固着するように寸法取り、位置決めしてある。好ましい実施例において、リム７１はサポート５２または５２′の側部５６と面一であり、ラットがリム７１または側部５６に載ることができないようになっている。好ましい実施例において、フード・ホルダ３７は、ラットがフード・ホルダ３７およびサポート５２をかじって脱出するのを防止するようにステンレス鋼で構成されている。
【手続補正３】
【補正対象書類名】明細書
【補正対象項目名】００３０
【補正方法】変更
【補正の内容】
【００３０】
水ホルダ２４のネック２３は開口に向かって狭くなっており、この開口内にゴム・ストッパー２９が挿入されるか、あるいは、ねじ付きキャップが取り付けられる。チューブ２７が、ゴム・ストッパー２９から延びている。水筒２１をサポート５２内に設置したとき、チューブ２７が水筒サポート３１の床３４にある穴またはスロット内に挿入され、ケージ底部３に向かって、それによって、ケージ底部３内のラットが水筒２１内の水へアクセスすることができる。
【手続補正４】
【補正対象書類名】明細書
【補正対象項目名】００５２
【補正方法】変更
【補正の内容】
【００５２】
特に、ボンネット２００は、リテーナ２１０、トップ２２０、これらの間に配置したフィルタ２４０およびトップ２２０の内面に取り付けたシールド２５０を包含する。ここで再び、トップ２２０が透明な材料で形成してあると好ましい。
この材料は、かなりの剛性を有し、ねじり力を加えたときに適度に屈曲することができると好ましい。トップ２２０は、孔２２４を有し、格子配列を形成する孔あき頂壁２２２を有する。それぞれ対向した対の側壁２２６が、頂壁２２２からほぼ直角に下垂している。ケージ底部３上にボンネット２００を載せることができるようにトップ２２０に形成した表面は、側壁２２６からほぼ直角に外方へ延びる連続した横方向周縁フランジ２３８を包含する。連続フランジ２３０が、ケージ底部３の開いたトップ１６を囲むように横方向周縁フランジ２３８から下垂している。リブ２３７（図１３）が、ボンネット２００を積み重ねることができるようにフランジ２３０から突出している。さらに、リブ２３２、２３４が、頂壁２２２から突出しており、好ましい実施例フレームにおいては、格子配列が孔２２４によって形成されている。孔２３６が頂壁２２２を貫いて設けてあり、リベット３００を受け入れるように寸法取りしてある。
【手続補正５】
【補正対象書類名】明細書
【補正対象項目名】００５７
【補正方法】変更
【補正の内容】
【００５７】
リベット３００が、孔２３６、２６４を貫いて延びており、シールド２５０をトップ２２０の頂壁２２２の下面に取り付けている。スペーサ２５６およびくぼみ２６０は、側壁２２６およびフランジ２３８のそれぞれと接触し、リベット３００と協働して、遊びを少し許すか全く許さない一定距離のところでトップ２２０内にシールド２５０を保持する。フランジ２５８は、それがケージ底部３のリップ８上に載る位置へのアクセスを効果的に阻止する距離延びている。好ましい実施例においては、シールド２５０はステンレス鋼で作ってあるが、トップ２２０またはフィルタ・リテーナ２１０と同じプラスチック材料で作ってあってもよい。